【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ネットワークにおけるワイヤレス通信の方法において、
特有の媒体アクセス制御（ＭＡＣ）アドレスを含む送信可メッセージを発生させ、前記特有のＭＡＣアドレスは、前記ネットワークにおける複数のワイヤレスデバイスのうちの第１のサブセットによって、関係付けられているネットワーク割り振りベクトルの、前記メッセージ中の持続時間フィールドにしたがった更新をしないように命令するものとして識別可能であることと、
前記メッセージを送信し、それにより、前記複数のワイヤレスデバイスのうちの第１のサブセットに対するデータ優先度とは無関係にワイヤレス通信アクセスを予約することとを含み、
前記特有のＭＡＣアドレスは、前記ネットワークにおける前記複数のワイヤレスデバイスのうちの第２のサブセットによって識別可能でなく、したがって、前記第２のサブセットは、関係付けられているネットワーク割り振りベクトルの、前記持続時間フィールドにしたがった更新をするように命令され、
前記特有のＭＡＣアドレスは、前記ネットワークにおける前記複数のワイヤレスデバイスに関係付けられていない方法。
【請求項２】
前記特有のＭＡＣアドレスは、前記メッセージの媒体アクセス制御ヘッダの受信機アドレスフィールド中に含まれている請求項１記載の方法。
【請求項３】
前記特有のＭＡＣアドレスは、前記メッセージの媒体アクセス制御ヘッダの送信機アドレスフィールド中に含まれている請求項１記載の方法。
【請求項４】
前記特有のＭＡＣアドレスは、前記メッセージの媒体アクセス制御ヘッダの、発信元アドレスフィールドと宛先アドレスフィールドとのうちの少なくとも１つの中に含まれている請求項１記載の方法。
【請求項５】
前記特有のＭＡＣアドレスは、マルチキャストＭＡＣアドレス、または、ローカルに管理されるＭＡＣアドレス、のうちの１つである請求項１記載の方法。
【請求項６】
前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる請求項１記載の方法。
【請求項７】
前記複数のワイヤレスデバイスのうちの少なくとも前記第１のサブセットに対して、少なくとも１つの管理フレームを送信することをさらに含み、
前記管理フレームは、前記特有のＭＡＣアドレスと、前記特有のＭＡＣアドレスに関係付けられている１つ以上の命令とを含む請求項１記載の方法。
【請求項８】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１記載の方法。
【請求項９】
前記ワイヤレス通信アクセススキームは、前記複数のワイヤレスデバイスのうちの第２のサブセットによって利用されるバックオフスロットの長さよりも大きい長さを有するバックオフスロットを利用する請求項８記載の方法。
【請求項１０】
ネットワークにおけるワイヤレス通信のための装置において、
特有の媒体アクセス制御（ＭＡＣ）アドレスを含む送信可メッセージを発生させるように構成され、前記特有のＭＡＣアドレスは、前記ネットワークにおける複数のワイヤレスデバイスのうちの第１のサブセットによって、関係付けられているネットワーク割り振りベクトルの、前記メッセージ中の持続時間フィールドにしたがった更新をしないように命令するものとして識別可能であるプロセッサと、
前記メッセージを送信し、それにより、前記複数のワイヤレスデバイスのうちの第１のサブセットに対するデータ優先度とは無関係にワイヤレス通信アクセスを予約するように構成されている送信機とを具備し、
前記特有のＭＡＣアドレスは、前記ネットワークにおける前記複数のワイヤレスデバイスのうちの第２のサブセットによって識別可能でなく、したがって、前記第２のサブセットは、関係付けられているネットワーク割り振りベクトルの、前記持続時間フィールドにしたがった更新をするように命令され、
前記特有のＭＡＣアドレスは、前記ネットワークにおける前記複数のワイヤレスデバイスに関係付けられていない装置。
【請求項１１】
前記プロセッサは、前記メッセージの媒体アクセス制御ヘッダの受信機アドレスフィールド中に、前記特有のＭＡＣアドレスを含めるようにさらに構成されている請求項１０記載の装置。
【請求項１２】
前記プロセッサは、前記メッセージの媒体アクセス制御ヘッダの送信機アドレスフィールド中に、前記特有のＭＡＣアドレスを含めるようにさらに構成されている請求項１０記載の装置。
【請求項１３】
前記プロセッサは、前記メッセージの媒体アクセス制御ヘッダの、発信元アドレスフィールドと宛先アドレスフィールドとのうちの少なくとも１つの中に、前記特有のＭＡＣアドレスを含めるようにさらに構成されている請求項１０記載の装置。
【請求項１４】
前記アドレスは、マルチキャストＭＡＣアドレス、または、ローカルに管理されるＭＡＣアドレス、のうちの１つを含む請求項１０記載の装置。
【請求項１５】
前記プロセッサは、前記メッセージの物理レイヤヘッダのサービスフィールド中に追加の情報を含めるようにさらに構成されている請求項１０記載の装置。
【請求項１６】
前記送信機は、前記複数のワイヤレスデバイスのうちの少なくとも前記第１のサブセットに対して、少なくとも１つの管理フレームを送信するようにさらに構成されており、
前記管理フレームは、前記特有のＭＡＣアドレスと、前記特有のＭＡＣアドレスに関係付けられている１つ以上の命令とを含む請求項１０記載の装置。
【請求項１７】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１０記載の装置。
【請求項１８】
前記ワイヤレス通信アクセススキームは、前記複数のワイヤレスデバイスのうちの第２のサブセットによって利用されるバックオフスロットの長さよりも大きい長さを有するバックオフスロットを利用する請求項１７記載の装置。
【請求項１９】
非一時的コンピュータ読取可能媒体において、
実行されるとき、装置に、
特有の媒体アクセス制御（ＭＡＣ）アドレスを含む送信可メッセージを発生させ、前記特有のＭＡＣアドレスは、ネットワークにおける複数のワイヤレスデバイスのうちの第１のサブセットによって、関係付けられているネットワーク割り振りベクトルの、前記メッセージ中の持続時間フィールドにしたがった更新をしないように命令するものとして識別可能であり、
前記メッセージを送信させ、それにより、前記複数のワイヤレスデバイスのうちの第１のサブセットに対するデータ優先度とは無関係にワイヤレス通信アクセスを予約させるためのコードを含み、
前記特有のＭＡＣアドレスは、前記ネットワークにおける前記複数のワイヤレスデバイスのうちの第２のサブセットによって識別可能でなく、したがって、前記第２のサブセットは、関係付けられているネットワーク割り振りベクトルの、前記持続時間フィールドにしたがった更新をするように命令され、
前記特有のＭＡＣアドレスは、前記ネットワークにおける前記複数のワイヤレスデバイスに関係付けられていない非一時的コンピュータ読取可能媒体。
【請求項２０】
前記特有のＭＡＣアドレスは、前記メッセージの媒体アクセス制御ヘッダの受信機アドレスフィールド中に含まれている請求項１９記載の非一時的コンピュータ読取可能媒体。
【請求項２１】
前記特有のＭＡＣアドレスは、前記メッセージの媒体アクセス制御ヘッダの送信機アドレスフィールド中に含まれている請求項１９記載の非一時的コンピュータ読取可能媒体。
【請求項２２】
前記特有のＭＡＣアドレスは、前記メッセージの媒体アクセス制御ヘッダの、発信元アドレスフィールドと宛先アドレスフィールドとのうちの少なくとも１つの中に含まれている請求項１９記載の非一時的コンピュータ読取可能媒体。
【請求項２３】
前記特有のＭＡＣアドレスは、マルチキャストＭＡＣアドレス、または、ローカルに管理されるＭＡＣアドレス、のうちの１つである請求項１９記載の非一時的コンピュータ読取可能媒体。
【請求項２４】
前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる請求項１９記載の非一時的コンピュータ読取可能媒体。
【請求項２５】
前記媒体は、実行されるとき、前記装置に、前記複数のワイヤレスデバイスのうちの少なくとも前記第１のサブセットに対して、少なくとも１つの管理フレームを送信させるためのコードをさらに含み、
前記管理フレームは、前記特有のＭＡＣアドレスと、前記特有のＭＡＣアドレスに関係付けられている１つ以上の命令とを含む請求項１９記載の非一時的コンピュータ読取可能媒体。
【請求項２６】
前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である請求項１９記載の非一時的コンピュータ読取可能媒体。
【請求項２７】
前記ワイヤレス通信アクセススキームは、前記複数のワイヤレスデバイスのうちの第２のサブセットによって利用されるバックオフスロットの長さよりも大きい長さを有するバックオフスロットを利用する請求項２６記載の非一時的コンピュータ読取可能媒体。
【手続補正２】
【補正対象書類名】明細書
【補正対象項目名】００５８
【補正方法】変更
【補正の内容】
【００５８】
［００６４］
先述したものは、本開示の態様に向けられているが、本開示の他の態様およびさらなる態様を、その基本的な範囲から逸脱することなく考案することができ、その範囲は、下記の特許請求の範囲によって決定される。
以下に、本願出願の当初の特許請求の範囲に記載された発明を付記する。
［１］  ワイヤレス通信の方法において、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であることと、
前記メッセージを送信し、それにより、前記複数のワイヤレスデバイスのうちの第１のサブセットに対するワイヤレス通信アクセスを予約することとを含み、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される方法。
［２］  前記特有のＭＡＣアドレスは、前記メッセージの媒体アクセス制御ヘッダの受信機アドレスフィールド中に含まれている［１］記載の方法。
［３］  前記特有のＭＡＣアドレスは、前記メッセージの媒体アクセス制御ヘッダの送信機アドレスフィールド中に含まれている［１］記載の方法。
［４］  前記特有のＭＡＣアドレスは、前記メッセージの媒体アクセス制御ヘッダの、発信元アドレスフィールドと宛先アドレスフィールドとのうちの少なくとも１つの中に含まれている［１］記載の方法。
［５］  前記特有のＭＡＣアドレスは、マルチキャストＭＡＣアドレス、または、ローカルに管理されるＭＡＣアドレス、のうちの１つである［１］記載の方法。
［６］  前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる［１］記載の方法。
［７］  前記複数のワイヤレスデバイスのうちの少なくとも前記第１のサブセットに対して、少なくとも１つの管理フレームを送信することをさらに含み、
前記管理フレームは、前記特有のＭＡＣアドレスと、前記特有のＭＡＣアドレスに関係付けられている１つ以上の命令とを含む［１］記載の方法。
［８］  前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である［１］記載の方法。
［９］  前記ワイヤレス通信アクセススキームは、前記複数のワイヤレスデバイスのうちの第２のサブセットによって利用されるバックオフスロットの長さよりも大きい長さを有するバックオフスロットを利用する［８］記載の方法。
［１０］  ワイヤレス通信のための装置において、
特有の媒体アクセス制御（ＭＡＣ）アドレスを含む送信可メッセージを発生させるように構成され、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であるプロセッサと、
前記メッセージを送信し、それにより、前記複数のワイヤレスデバイスのうちの第１のサブセットに対するワイヤレス通信アクセスを予約するように構成されている送信機とを具備し、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される装置。
［１１］  前記プロセッサは、前記メッセージの媒体アクセス制御ヘッダの受信機アドレスフィールド中に、前記特有のＭＡＣアドレスを含めるようにさらに構成されている［１０］記載の装置。
［１２］  前記プロセッサは、前記メッセージの媒体アクセス制御ヘッダの送信機アドレスフィールド中に、前記特有のＭＡＣアドレスを含めるようにさらに構成されている［１０］記載の装置。
［１３］  前記プロセッサは、前記メッセージの媒体アクセス制御ヘッダの、発信元アドレスフィールドと宛先アドレスフィールドとのうちの少なくとも１つの中に、前記特有のＭＡＣアドレスを含めるようにさらに構成されている［１０］記載の装置。
［１４］  前記アドレスは、マルチキャストＭＡＣアドレス、または、ローカルに管理されるＭＡＣアドレス、のうちの１つを含む［１０］記載の装置。
［１５］  前記プロセッサは、前記メッセージの物理レイヤヘッダのサービスフィールド中に追加の情報を含めるようにさらに構成されている［１０］記載の装置。
［１６］  前記送信機は、前記複数のワイヤレスデバイスのうちの少なくとも前記第１のサブセットに対して、少なくとも１つの管理フレームを送信するようにさらに構成されており、
前記管理フレームは、前記特有のＭＡＣアドレスと、前記特有のＭＡＣアドレスに関係付けられている１つ以上の命令とを含む［１０］記載の装置。
［１７］  前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である［１０］記載の装置。
［１８］  前記ワイヤレス通信アクセススキームは、前記複数のワイヤレスデバイスのうちの第２のサブセットによって利用されるバックオフスロットの長さよりも大きい長さを有するバックオフスロットを利用する［１７］記載の装置。
［１９］  非一時的コンピュータ読取可能媒体において、
実行されるとき、装置に、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能であり、
前記メッセージを送信させ、それにより、前記複数のワイヤレスデバイスのうちの第１のサブセットに対するワイヤレス通信アクセスを予約させるコードを含み、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される非一時的コンピュータ読取可能媒体。
［２０］  前記特有のＭＡＣアドレスは、前記メッセージの媒体アクセス制御ヘッダの受信機アドレスフィールド中に含まれている［１９］記載の非一時的コンピュータ読取可能媒体。
［２１］  前記特有のＭＡＣアドレスは、前記メッセージの媒体アクセス制御ヘッダの送信機アドレスフィールド中に含まれている［１９］記載の非一時的コンピュータ読取可能媒体。
［２２］  前記特有のＭＡＣアドレスは、前記メッセージの媒体アクセス制御ヘッダの、発信元アドレスフィールドと宛先アドレスフィールドとのうちの少なくとも１つの中に含まれている［１９］記載の非一時的コンピュータ読取可能媒体。
［２３］  前記特有のＭＡＣアドレスは、マルチキャストＭＡＣアドレス、または、ローカルに管理されるＭＡＣアドレス、のうちの１つである［１９］記載の非一時的コンピュータ読取可能媒体。
［２４］  前記メッセージ中の前記特有のＭＡＣアドレスを識別することは、前記複数のワイヤレスデバイスのうちの第１のサブセットに対して、前記メッセージの物理レイヤヘッダのサービスフィールド中に追加の情報が位置付けられていることをさらに知らせる［１９］記載の非一時的コンピュータ読取可能媒体。
［２５］  前記媒体は、実行されるとき、前記装置に、前記複数のワイヤレスデバイスのうちの少なくとも前記第１のサブセットに対して、少なくとも１つの管理フレームを送信させるコードをさらに含み、
前記管理フレームは、前記特有のＭＡＣアドレスと、前記特有のＭＡＣアドレスに関係付けられている１つ以上の命令とを含む［１９］記載の非一時的コンピュータ読取可能媒体。
［２６］  前記特有のＭＡＣアドレスは、前記複数のワイヤレスデバイスのうちの第１のサブセットによって、前記特有のＭＡＣアドレスに関係付けられているワイヤレス通信アクセススキームの使用を命令するものとしてさらに識別可能である［１９］記載の非一時的コンピュータ読取可能媒体。
［２７］  前記ワイヤレス通信アクセススキームは、前記複数のワイヤレスデバイスのうちの第２のサブセットによって利用されるバックオフスロットの長さよりも大きい長さを有するバックオフスロットを利用する［２６］記載の非一時的コンピュータ読取可能媒体。
［２８］  ワイヤレス通信のための装置において、
特有の媒体アクセス制御（ＭＡＣ）アドレスを含む送信可メッセージを発生させ、前記特有のＭＡＣアドレスは、複数のワイヤレスデバイスのうちの第１のサブセットによって、関係付けられているネットワーク割り振りベクトルの、前記メッセージ中の持続時間フィールドにしたがった更新をしないように命令するものとして識別可能である手段と、
前記メッセージを送信し、それにより、前記複数のワイヤレスデバイスのうちの第１のサブセットに対するワイヤレス通信アクセスを予約する手段とを具備し、
前記特有のＭＡＣアドレスは、前記複数のワイヤレスデバイスのうちの第２のサブセットによって識別可能でなく、前記第２のサブセットは、関係付けられているネットワーク割り振りベクトルの、前記持続時間フィールドにしたがった更新をするように命令される装置。
［２９］  前記メッセージの物理レイヤヘッダのサービスフィールド中に追加の情報を含める手段をさらに具備する［２８］記載の装置。
［３０］  前記複数のワイヤレスデバイスのうちの少なくとも前記第１のサブセットに対して、少なくとも１つの管理フレームを送信する手段をさらに具備し、
前記管理フレームは、前記特有のＭＡＣアドレスと、前記特有のＭＡＣアドレスに関係付けられている１つ以上の命令とを含む［２８］記載の装置。